(57)【要約】【課題】待ち受け基地局から受信するシステム情報の量を抑制することによって、消費電力の削減を図る移動通信端末装置の間欠受信方法及び移動通信端末装置を提供する。【解決手段】過去の待ち受け基地局のシステム情報を記憶するシステム情報テーブル２１を設け、間欠受信処理部１７は、システム情報テーブル２１に記憶されたシステム情報を用いることによって、新たな待ち受け基地局から受信するシステム情報の量を抑制する。【選択図】  図１
2005039369.tif 000002
【特許請求の範囲】
【請求項１】
待ち受け基地局から送信された更新情報と送受信パラメータとからなるシステム情報を受信して、そのシステム情報をシステム情報メモリに記憶し、
前記待ち受け基地局から送信された電波、及び前記待ち受け基地局に隣接する基地局から送信された電波を受信して、それらの電波の品質を測定し、
その測定によって高い品質の電波を送信した基地局をセル再選択して新たな待ち受け基地局とし、
前記システム情報メモリに前記新たな待ち受け基地局のシステム情報が記憶されていて、かつ、前記新たな待ち受け基地局から送信された更新情報と前記システム情報メモリに記憶された更新情報とが等価である場合、前記システム情報メモリに記憶されたシステム情報を用いて間欠受信することを特徴とする移動通信端末装置の間欠受信方法。
【請求項２】
前記受信された更新情報と前記システム情報メモリに記憶された更新情報とが等価でない場合、前記新たな待ち受け基地局から送信された送受信パラメータを受信して、その更新情報と送受信パラメータとを前記システム情報メモリに記憶し、
その更新情報と送受信パラメータとからなるシステム情報を用いて間欠受信することを特徴とする請求項１に記載の移動通信端末装置の間欠受信方法。
【請求項３】
前記新たな待ち受け基地局のシステム情報が前記システム情報メモリに記憶されていない場合、前記新たな待ち受け基地局から送信されたシステム情報を受信して、前記システム情報メモリに記憶し、
そのシステム情報を用いて間欠受信することを特徴とする請求項１に記載の移動通信端末装置の間欠受信方法。
【請求項４】
前記待ち受け基地局から送信された着信信号を受信し、
前記待ち受け基地局から送信されたシステム情報を受信して、前記システム情報メモリに記憶し、
そのシステム情報を用いて通話通信を開始することを特徴とする請求項１に記載の移動通信端末装置の間欠受信方法。
【請求項５】
前記待ち受け基地局のシステム情報に含まれる位置登録エリアと、前記新たな待ち受け基地局のシステム情報に含まれる前記位置登録エリアとが異なる場合、前記新たな待ち受け基地局から送信されたシステム情報を受信して、前記システム情報メモリに記憶し、
そのシステム情報を用いて位置登録通信を開始することを特徴とする請求項１に記載の移動通信端末装置の間欠受信方法。
【請求項６】
待ち受け基地局から送信された更新情報と送受信パラメータとからなるシステム情報を受信する手段と、
その受信手段によって受信されたシステム情報を格納するシステム情報記憶手段と、
前記待ち受け基地局から送信された電波、及び前記待ち受け基地局に隣接する基地局から送信された電波を受信して、それらの電波の品質を測定する手段と、
その測定手段によって高い品質が測定された電波を送信した基地局を新たな待ち受け基地局としてセル再選択する手段と、
前記システム情報メモリに前記セル再選択された前記新たな待ち受け基地局のシステム情報が記憶されていて、かつ、前記新たな待ち受け基地局から送信された更新情報と前記システム情報メモリに記憶された更新情報とが等価である場合、前記システム情報メモリに記憶されたシステム情報を用いて間欠受信を行なう手段とを有することを特徴とする移動通信端末装置。
【発明の詳細な説明】
【０００１】
【発明の属する技術分野】
本発明は、移動通信端末装置の間欠受信方法及び移動通信端末装置に係り、特に電力消費の少ない間欠受信処理に関する。
【０００２】
【従来の技術】
ＣＤＭＡ（Ｃｏｄｅ  Ｄｉｖｉｓｉｏｎ  Ｍｕｌｔｉｐｌｅ  Ａｃｃｅｓｓ、符号分割多元接続）方式などのセルラ方式の移動通信システムでは、移動通信サービスエリアをセルと呼ばれる小規模な領域に分割し、各セルに１つ又は複数の基地局を設置する。
【０００３】
そして、移動局は、あるセル内に位置して待ち受け中（Ｉｄｌｅ  Ｍｏｄｅ）では、そのセルに設置された基地局を選択して待ち受け基地局（Ｓｅｒｖｉｎｇ  Ｃｅｌｌ）とし、その待ち受け基地局との間の無線通信リンクを確立する。そして、移動局は、間欠受信周期（Ｄｉｓｃｏｎｔｉｎｕｏｕｓ  Ｒｅｃｅｐｔｉｏｎ  Ｃｙｃｌｅ）毎に間欠起床して間欠受信を行ない、待ち受け基地局から送られる着信情報を受信して、自局宛の着信の有無を検出する。
【０００４】
そして、自局あての着信が検出されると、移動局は、待ち受け基地局との間で通話チャネルを確立して、通話通信を行なう。
【０００５】
また、あるセルからそのセルに隣接するセルに移動する場合には、移動局は、移動前に位置していたセルの基地局から、移動後に位置するセルの基地局を待ち受け基地局として再選択（Ｃｅｌｌ  Ｒｅ−ｓｅｌｅｃｔｉｏｎ。以後、セル再選択と称する。）する。
【０００６】
セル再選択のために、移動局は、間欠受信周期毎に待ち受け基地局から送られる着信情報を受信して着信の有無を検出すると共に、待ち受け基地局から送信された電波と、待ち受け基地局に隣接する基地局（Ｎｅｉｇｈｂｏｒｉｎｇ  Ｃｅｌｌｓ）から送信された電波を受信し、その受信したそれぞれの電波の品質を測定する。
【０００７】
そして、移動局は、待ち受け基地局から送信された電波の品質よりも高い品質の電波を受信したら、その高い品質の電波を送信した基地局を新たな待ち受け基地局としてセル再選択する。ここで、電波の品質は、電波の強度や信号対雑音電力比などによって測定する。
【０００８】
移動局は、セル再選択の後に、新たな待ち受け基地局のシステム情報を受信する（例えば、非特許文献１参照。）。なぜなら、そのシステム情報は、新たな待ち受け基地局や、その基地局に隣接する基地局から送られる信号を受信するのに必要であり、また、その基地局との間の通話通信を行なうのに必要だからである。
【０００９】
即ち、システム情報には、移動局が受信する上記基地局の制御用チャネルのチャネル番号や、移動局が上記基地局と通信を開始するために用いるＲＡＣＨ（Ｒａｎｄｏｍ  Ａｃｃｅｓｓ  Ｃｈａｎｎｅｌ）送信の送信電力初期値などが含まれている。
【００１０】
ところで、システム情報は、多量の情報であり、システム情報の受信は、長時間の間欠受信時間を必要とし、また、多くの電力を消費するので、好ましくない。そのため、例えば、システム情報の受信に長時間を要する場合にセル再選択を中止することによって、システム情報の受信を中止する処理が知られている。（例えば、特許文献１参照。）。
【００１１】
【特許文献１】
特表２００２−５２８９７７号公報（第２−３頁、図４Ａ）
【００１２】
【非特許文献１】
“スリージーピーピー（３ＧＰＰ）  ＴＳ２５．３０４”、Ｖ５．２．０版、ｐ．１８、［ｏｎｌｉｎｅ］、２００２年１２月、スリージーピーピー（３ＧＰＰ）、［平成１５年６月２日検索］、インターネット＜ＵＲＬ：ｈｔｔｐ：／／ｗｗｗ．３ｇｐｐ．ｏｒｇ／ｆｔｐ／Ｓｐｅｃｓ／ａｒｃｈｉｖｅ／２５＿ｓｅｒｉｅｓ／２５．３０４／＞
【００１３】
【発明が解決しようとする課題】
しかしながら、移動局があるセルからそのセルに隣接するセルに移動する場合には、セル再選択を行なわないと、移動局は待ち受け基地局を見失う問題点があった。
【００１４】
本発明は、上記問題点を解決するためになされたもので、待ち受け基地局から受信するシステム情報の量を抑制し、かつ、待ち受け基地局を見失うことのない移動通信端末装置の間欠受信方法及び移動通信端末装置を提供することを目的とする。
【００１５】
【課題を解決するための手段】
上記目的を達成するために、本発明の移動通信端末装置の間欠受信方法は、待ち受け基地局から送信された更新情報と送受信パラメータとからなるシステム情報を受信して、そのシステム情報をシステム情報メモリに記憶し、前記待ち受け基地局から送信された電波、及び前記待ち受け基地局に隣接する基地局から送信された電波を受信して、それらの電波の品質を測定し、その測定によって高い品質の電波を送信した基地局をセル再選択して新たな待ち受け基地局とし、前記システム情報メモリに前記新たな待ち受け基地局のシステム情報が記憶されていて、かつ、前記新たな待ち受け基地局から送信された更新情報と前記システム情報メモリに記憶された更新情報とが等価である場合、前記システム情報メモリに記憶されたシステム情報を用いて間欠受信することを特徴とする。
【００１６】
本発明によれば、過去の待ち受け基地局のシステム情報を記憶して用いることによって、新たな待ち受け基地局から受信するシステム情報の量を抑制し、かつ、待ち受け基地局を見失うことを防ぐことができる。
【００１７】
【発明の実施の形態】
以下に、本発明による移動通信端末装置の間欠受信方法及び移動通信端末装置の実施の形態を、図面を参照して説明する。図１は、本発明の実施形態に係る移動通信端末装置（移動局）の構成を示すブロック図である。
【００１８】
この装置は、装置全体の制御を行なう制御部１１と、基地局（図示せず）との間で電波の送受信を行なうアンテナ１２ａと、通信部１２ｂと、送受信部１３と、スピーカ１４ａと、マイクロフォン１４ｂと、通話部１４ｃと、出力部１５と、入力部１６と、間欠受信処理部１７と、システム情報記憶部１８と、これらに電力を供給する充電池（図示せず）とからなる。システム情報記憶部１８には、システム情報テーブル２１が記憶される。
【００１９】
上記のように構成された、本発明の実施形態に係る移動通信端末装置の各部の動作を、図１を参照して説明する。
【００２０】
まず、通信部１２ｂは、アンテナ１２ａが受信した高周波信号を送受信部１３へ出力し、また、送受信部１３から出力される高周波信号をアンテナ１２ａより送信する。
【００２１】
送受信部１３は、通信部１２ｂからの高周波信号を増幅、周波数変換及び復調し、それによって得られたデジタル音声信号を通話部１４ｃへ、また、制御信号を制御部１１に送る。更には、通話部１４ｃから出力されるデジタル音声信号、及び制御部１１から出力される制御信号を変調、周波数変換及び増幅し、高周波信号を得て、それを通信部１２ｂに送る。
【００２２】
次に、通話部１４ｃは、送受信部１３から出力されるデジタル音声信号をアナログ音声信号に変換し、それを増幅してスピーカ１４ａに送る。また、マイクロフォン１４ｂから出力されるアナログ音声信号を増幅し、それをデジタル音声信号に変換して送受信部１３に送信する。
【００２３】
出力部１５は、例えばＬＣＤの表示装置であり、制御部１１より起動されることにより、表示動作を開始する。入力部１６からの入力操作に応答して制御部１１より起動されるまで、出力部１５には同じ内容が表示される。
【００２４】
入力部１６は、複数のキーからなり、制御部１１の起動により動作を開始し、利用者が入力操作したキー入力に応じて、そのキーを識別するコードを制御部１１へ通知して動作を終了する。
【００２５】
次に、間欠受信処理部１７の動作を説明する。間欠受信処理部１７は、待ち受け基地局のシステム情報を管理し、着信の有無の検出を行ない、また、セル再選択を行なうか否かを判断する装置である。
【００２６】
図２は、この間欠受信処理部１７の動作を示すフローチャートである。間欠受信処理部１７は、間欠受信周期毎に制御部１１から起動され、動作を開始する（ステップ１７ａ）。まず、待ち受け基地局から共通パイロットチャネル（Ｃｏｍｍｏｎ  Ｐｉｌｏｔ  Ｃｈａｎｎｅｌ）で送信される共通パイロット信号を受信して、待ち受け基地局をサーチする（ステップ１７ｂ）。また、同時に、その共通パイロットチャネルで送信される共通パイロット信号の電波の品質を測定する。電波の品質は、電波の強度としても良く、また、電波の信号対雑音電力比としても良い。
【００２７】
間欠受信処理部１７は、続いて、自装置宛の着信の有無を検出し、その検出結果によって動作を分岐する（ステップ１７ｃ）。即ち、まず、ページングインディケータチャネル（Ｐａｇｉｎｇ  Ｉｎｄｉｃａｔｏｒ  Ｃｈａｎｎｅｌ）で送信されるページングインディケータ（Ｐａｇｉｎｇ  Ｉｎｄｉｃａｔｏｒ）信号を受信して、その信号が「着信なし」を示しておれば、自装置宛の着信はないと判断する。
【００２８】
また、上記ページングインディケータ信号が「着信あり」を示していれば、更にページングチャネル（Ｐａｇｉｎｇ  Ｃｈａｎｎｅｌ）で送信されるページング情報を受信して、その情報を解析することによって、自装置宛の着信の有無を判断する。
【００２９】
自装置あての着信がなければ（ステップ１７ｃの「なし」）、間欠受信処理部１７は、待ち受け基地局に隣接する基地局から共通パイロットチャネルで送信される共通パイロット信号を受信して、上記隣接する基地局をサーチする（ステップ１７ｄ）。また、同時に、上記隣接する基地局から共通パイロットチャネルで送信される共通パイロット信号の電波の品質を測定する。
【００３０】
続いて、間欠受信処理部１７は、セル再選択を行なうか否かを判断する（ステップ１７ｅ）。即ち、ステップ１７ｂで測定した待ち受け基地局から共通パイロットチャネルで送信される共通パイロット信号の電波の品質が所定の閾値以上であれば、直ちにセル再選択を行なわないと判断する。
【００３１】
しかし、上記待ち受け基地局からの共通パイロット信号の電波の品質が所定の閾値未満であり、かつ、上記電波の品質より高い品質の電波を上記隣接する基地局から受信していれば、上記高い品質の電波を送信した基地局を新たな待ち受け基地局としてセル再選択を行なうと判断する。その他の場合、セル再選択を行なわないと判断する。
【００３２】
そして、セル再選択を行なわないと判断した場合（ステップ１７ｅの「しない」）、間欠受信処理部１７は、間欠受信処理を終了する（ステップ１７ｆ）。
【００３３】
一方、セル再選択を行なうと判断した場合（ステップ１７ｅの「する」）、間欠受信処理部１７は、ステップ１７ｅで選択された新たな待ち受け基地局から報知チャネル（Ｂｒｏａｄｃａｓｔ  Ｃｏｍｍｏｎ  Ｃｏｎｔｒｏｌ  Ｃｈａｎｎｅｌ）で送信されるその基地局のシステム情報の更新番号を受信する（ステップ１７ｇ）。続いて、上記新たな待ち受け基地局の識別子から、その基地局のシステム情報がシステム情報テーブル２１に記憶されているか否かを判断する（ステップ１７ｈ）。
【００３４】
図３は、このシステム情報テーブル２１の一例を示す。即ち、システム情報テーブル２１は、基地局識別子２１ａと、更新番号２１ｂと、チャネル番号２１ｃと、間欠受信周期２１ｄと、隣接基地局情報２１ｅと、ＲＡＣＨ送信電力初期値２１ｆと、プリアンブル間隔２１ｇとのデータの組からなる。なお、システム情報テーブル２１には、この他のデータが含まれていても良い。
【００３５】
ここで、基地局識別子２１ａは、基地局を一意に識別する情報であり、その基地局のスクランブリングコードである。そして、更新番号２１ｂと、チャネル番号２１ｃと、間欠受信周期２１ｄと、隣接基地局情報２１ｅと、ＲＡＣＨ送信電力初期値２１ｆと、プリアンブル間隔２１ｇとは、基地局識別子２１ａで識別される基地局のシステム情報である。
【００３６】
即ち、更新番号２１ｂは、チャネル番号２１ｃと、間欠受信周期２１ｄと、隣接基地局情報２１ｅとの更新状況を表す情報である。そして、チャネル番号２１ｃは、基地局識別子２１ａで識別される基地局が用いる制御チャネルのチャネル番号であり、間欠受信周期２１ｄは、基地局識別子２１ａで識別される基地局から着信の有無が送信される時間間隔である。
【００３７】
また、隣接基地局情報２１ｅは、基地局識別子２１ａで識別される基地局に隣接する基地局の情報であり、具体的には、上記隣接する基地局の共通パイロットチャネルのチャネル番号などである。
【００３８】
チャネル番号２１ｃと、間欠受信周期２１ｄと、隣接基地局情報２１ｅとは、基地局識別子２１ａで識別される基地局を待ち受け基地局として間欠受信動作を行なうにあたって必要な受信パラメータである。
【００３９】
また、ＲＡＣＨ送信電力初期値２１ｆは、通話通信などを開始する際に、移動通信端末装置からランダムアクセルチャネル（Ｒａｎｄｏｍ  Ａｃｃｅｓｓ  Ｃｈａｎｎｅｌ）で行なわれるＲＡＣＨ送信における所定のプリアンブルを送信する電力の初期値である。また、プリアンブル間隔２１ｇは、上記プリアンブルを送信する時間間隔である。
【００４０】
ＲＡＣＨ送信電力初期値２１ｆと、プリアンブル間隔２１ｇとは、基地局識別子２１ａで識別される基地局と通話通信などを開始するにあたって行なわれるＲＡＣＨ送信処理に必要な送信パラメータである。
【００４１】
これらの送信パラメータは、基地局がその時に通信している移動局の数と、それらの通信に用いられている送信電力に依存してその基地局が定めるので、基地局が送信するＲＡＣＨ送信電力初期値２１ｆとプリアンブル間隔２１ｇは常時更新される。
【００４２】
ステップ１７ｈで、上記新たな待ち受け基地局の識別子に等しいデータをシステム情報テーブル２１の基地局識別子２１ａから検索し、検索できた場合（ステップ１７ｈの「あり」）、間欠受信処理部１７は、続いて、上記検索されたデータの更新番号２１ｂとステップ１７ｇで受信した新たな待ち受け基地局のシステム情報の更新番号を比較する（ステップ１７ｉ）。
【００４３】
この２つの更新番号が等しければ、システム情報テーブル２１に記憶された新たな待ち受け基地局のシステム情報は最新であると判断し（ステップ１７ｉの「最新」）、間欠受信処理部１７は、システム情報テーブル２１に記憶された新たな待ち受け基地局のシステム情報を読み出して（ステップ１７ｊ）、待ち受け基地局のシステム情報として制御部１１内の所定の記憶部（図示せず）に格納する。
【００４４】
そして、間欠受信処理部１７は、セル再選択前の待ち受け基地局と、新たな待ち受け基地局にセル再選択をしたことを通知し（ステップ１７ｋ）、間欠受信処理を終了する（ステップ１７ｆ）。
【００４５】
一方、ステップ１７ｈで、新たな待ち受け基地局のシステム情報がシステム情報テーブル２１に記憶されていない場合（ステップ１７ｈの「なし」）と、ステップ１７ｉで、上記２つの更新番号が等しくなく、即ち、システム情報テーブル２１に記憶された新たな待ち受け基地局のシステム情報は最新でない場合（ステップ１７ｉの「最新でない」）には、間欠受信処理部１７は、新たな待ち受け基地局から報知チャネルで送信されるその基地局のシステム情報の受信パラメータと送信パラメータを受信する。（ステップ１７ｍ）。
【００４６】
そして、間欠受信処理部１７は、受信した受信パラメータと送信パラメータ、即ち、チャネル番号２１ｃと、間欠受信周期２１ｄと、隣接基地局情報２１ｅと、ＲＡＣＨ送信電力初期値２１ｆと、プリアンブル間隔２１ｇと、更に、ステップ１７ｇで受信した更新番号２１ｂとを、新たな待ち受け基地局の基地局識別子２１ａと共に、システム情報テーブル２１に格納する（ステップ１７ｎ）。
【００４７】
また、間欠受信処理部１７は、システム情報テーブル２１に格納したシステム情報を、待ち受け基地局のシステム情報として制御部１１内の所定の記憶部に格納する。更に、セル再選択をしたことを新旧の待ち受け基地局に通知して（ステップ１７ｋ）、終了する（ステップ１７ｆ）。
【００４８】
また、ステップ１７ｃで、着信ありが検出された場合（ステップ１７ｃの「あり」）、間欠受信処理部１７は、待ち受け基地局から報知チャネルで送信されるその基地局のシステム情報を受信して（ステップ１７ｏ）、システム情報テーブル２１に格納し（ステップ１７ｐ）、更に、待ち受け基地局のシステム情報として制御部１１内の所定の記憶部に格納して、着呼処理部（図示せず）に動作を引き継ぐ（ステップ１７ｑ）。
【００４９】
なお、制御部１１内の所定の記憶部に記憶された待ち受け基地局のシステム情報は、着呼処理部がＲＡＣＨ送信を行なう際に用いられる。即ち、着呼処理部は、最新のＲＡＣＨ送信電力初期値２１ｆと、プリアンブル間隔２１ｇとを用いることによって、適切な送信電力でＲＡＣＨ送信を行なうことができる。
【００５０】
また、ＲＡＣＨ送信は、着呼処理部が行なう他に、発呼処理部（図示せず）が用いる。そこで、発呼処理部は、発呼処理の前に、ステップ１７ｏの待ち受け基地局のシステム情報の受信と、ステップ１７ｐの受信したシステム情報の格納処理を行なう。
【００５１】
更に、システム情報には基地局が属する位置登録エリア（着信一斉呼出しエリア）識別子が含まれており、その位置登録エリア識別子がシステム情報テーブル２１に記憶される（図示せず）。
【００５２】
そして、セル再選択前の待ち受け基地局の位置登録エリア識別子と、新たな待ち受け基地局の位置登録エリア識別子とが異なる場合、間欠受信処理部１７は、ステップ１７ｋで、これらの基地局にセル再選択をしたことを通知するだけでなく、新たな待ち受け基地局に対して、位置登録の通信を行なう。
【００５３】
ここで、位置登録の通信にはＲＡＣＨ送信が用いられるので、間欠受信処理部１７は、ステップ１７ｍ、１７ｎを経ずに、即ち、ステップ１７ｊを経てステップ１７ｋを実行中には、上記ＲＡＣＨ送信の前にステップ１７ｏの待ち受け基地局のシステム情報の受信と、ステップ１７ｐの受信したシステム情報の格納処理を行なう。
【００５４】
また、ステップ１７ｎで、新たな待ち受け基地局のシステム情報を格納する記憶容量がシステム情報テーブル２１にない場合、その他の基地局のシステム情報を削除して、上記記憶容量を作成する。
【００５５】
即ち、間欠受信処理部１７は、各基地局から共通パイロットチャネルで送信された共通パイロット信号の電波の品質をシステム情報テーブル２１に記憶して、その記憶された品質をステップ１７ｂの待ち受け基地局のサーチの際と、ステップ１７ｄの待ち受け基地局に隣接する基地局のサーチの際に更新する。そして、上記記憶容量を作る際に、最も低い品質が記憶されている基地局のシステム情報を削除する。本発明は以上の構成に限定されるものではなく、種々の変形が可能である。
【００５６】
【発明の効果】
以上述べたように、本発明によれば、過去の待ち受け基地局のシステム情報を記憶して用いることによって、新たな待ち受け基地局から受信するシステム情報の量を抑制し、かつ、待ち受け基地局を見失うことを防ぐことができる。また、待ち受け中の移動通信端末装置の消費電力削減ができる。
【図面の簡単な説明】
【図１】本発明の実施形態に係る移動通信端末装置の構成を示すブロック図。
【図２】本発明の実施形態に係る間欠受信処理部の動作を示すフローチャート。
【図３】本発明の実施形態に係るシステム情報テーブルの構成図。
【符号の説明】
１７  間欠受信処理部
２１  システム情報テーブル
２１ａ  基地局識別子
２１ｂ  更新番号
２１ｃ  チャネル番号
２１ｄ  間欠受信周期
２１ｅ  隣接基地局情報
２１ｆ  ＲＡＣＨ送信電力初期値
２１ｇ  プリアンブル間隔
【図１】
2005039369.tif 000003
【図２】
2005039369.tif 000004
【図３】
2005039369.tif 000005